(57)【要約】【解決手段】仕切りの特定両パネル６（６ａ，６ｂ）において、連結縁部１３，１８は、それぞれ、縦端部９で延設された基部１５，２０と、基部１５，２０に対し鉤状をなす頭部１６，２１とからなる突条部１４，１９を有し、頭部１６，２１は、基部１５，２０で表側から裏側へ向けて折曲され、互いに逆の向きＹａ，Ｙｂに延設されて横方向Ｙに対し傾斜している。連結縁部１３，１８には、表側から裏側へ向う向きＸＦの力に対抗し得るように互いに係止可能に設けた係止部２４，２５と、裏側から表側へ向う向きＸＲの力に対抗し得るように互いに係止可能に設けた係止部２４，２５とをそれぞれ設けている。【効果】パネル連結構造部１０において、パネル６の振れを防止してパネル６を確実に保持するとともに、連結縁部１３，１８を互いに係合させ易くしてパネル６の連結作業を容易にする。【選択図】図３
2005351043.tif 000002
【特許請求の範囲】
【請求項１】
複数のパネルを縦方向へ立てて横方向へ並べ、横方向で互いに隣接する特定両パネルで相対向する縦端部には、それぞれ、互いに当接する接合部のほかに、特定両パネルの表側で縦方向へ延びる連結縁部を設け、これらの連結縁部を互いに係合させて特定両パネルを連結した仕切りにおいて、
前記特定両パネルの連結縁部には、特定両パネルの表側から裏側へ向う向きの力に対抗し得るように互いに係止可能に設けた係止部と、特定両パネルの裏側から表側へ向う向きの力に対抗し得るように互いに係止可能に設けた係止部とをそれぞれ設けた
ことを特徴とする仕切りにおけるパネルの連結構造。
【請求項２】
前記各係止部はシール部を兼用していることを特徴とする請求項１に記載の仕切りにおけるパネルの連結構造。
【請求項３】
複数のパネルを縦方向へ立てて横方向へ並べ、横方向で互いに隣接する特定両パネルで相対向する縦端部には、それぞれ、互いに当接する接合部のほかに、特定両パネルの表側で縦方向へ延びる連結縁部を設け、これらの連結縁部を互いに係合させて特定両パネルを連結した仕切りにおいて、
前記特定両パネルの連結縁部は、それぞれ、特定両パネルの縦端部で延設された基部と、この基部に対し鉤状をなす頭部とからなる突条部を有し、この特定両パネルの突条部において頭部は、基部で特定両パネルの表側から裏側へ向けて折曲され、互いに逆の向きに延設されて横方向に対し傾斜している
ことを特徴とする仕切りにおけるパネルの連結構造。
【請求項４】
前記特定両パネルの連結縁部の突条部で頭部は基部に対し鋭角をなし、この特定両パネルの突条部のうち一方の突条部の頭部は他方の突条部における基部と頭部との間の縦溝に入り込んでいることを特徴とする請求項３に記載の仕切りにおけるパネルの連結構造。
【請求項５】
前記特定両パネルの突条部のうち一方の突条部における頭部の先端部は他方の突条部における頭部の内側に近接するとともに、一方の突条部における頭部の基端部は他方の突条部における基部の内側に近接していることを特徴とする請求項４に記載の仕切りにおけるパネルの連結構造。
【請求項６】
前記特定両パネルのうち一方の特定パネルには特定パネルの表側の縦端部側で縦方向へ延びる樋溝を設け、前記特定両パネルの連結縁部はこの樋溝内で互いに係合していることを特徴とする請求項１から請求項５のうちいずれかの請求項に記載の仕切りにおけるパネルの連結構造。
【発明の詳細な説明】
【技術分野】
【０００１】
本発明は、各種仕切りにおけるパネルの連結構造に関するものである。
【背景技術】
【０００２】
従来、各種仕切りのパネル連結構造において作業用足場を必要としない縦目地施工では、複数のパネルが縦方向へ立てて横方向へ並べられ、横方向で互いに隣接する特定両パネルで相対向する縦端部は、パネル連結構造部により互いに連結されている。このパネル連結構造部においては、互いに当接する接合部のほかに、特定両パネルの表側で縦方向へ延びる連結縁部が設けられ、これらの連結縁部が互いに係合されて特定両パネルが連結されている。
【発明の開示】
【発明が解決しようとする課題】
【０００３】
しかし、風等により、パネルの表側から裏側へ向う向きの力や、パネルの裏側から表側へ向う向きの力が生じると、パネルがそれらの向きへ振れて騒音等の原因になる。また、特定両パネルを連結する際、それらの連結縁部を互いに係合させにくいと、パネルの連結作業が面倒になる。
【０００４】
この発明は、パネル連結構造部においてパネルの振れを防止してパネルを確実に保持することを目的としている。また、この発明は、パネル連結構造部において連結縁部を互いに係合させ易くしてパネルの連結作業を容易にすることを目的としている。
【課題を解決するための手段】
【０００５】
後記実施形態の図面（図１〜３）の符号を援用して本発明を説明する。
請求項１の発明にかかる仕切りのパネル連結構造は下記のように構成されている。
この仕切りのパネル連結構造においては、複数のパネル（６）を縦方向（Ｚ）へ立てて横方向（Ｙ）へ並べ、横方向（Ｙ）で互いに隣接する特定両パネル（６ａ，６ｂ）で相対向する縦端部（９）には、それぞれ、互いに当接する接合部（１１，１７）のほかに、特定両パネル（６ａ，６ｂ）の表側で縦方向（Ｚ）へ延びる連結縁部（１３，１８）を設け、これらの連結縁部（１３，１８）を互いに係合させて特定両パネル（６ａ，６ｂ）を連結している。前記特定両パネル（６ａ，６ｂ）の連結縁部（１３，１８）には、特定両パネル（６ａ，６ｂ）の表側から裏側へ向う向き（ＸＦ）の力に対抗し得るように互いに係止可能に設けた係止部（２４，２５）と、特定両パネル（６ａ，６ｂ）の裏側から表側へ向う向き（ＸＲ）の力に対抗し得るように互いに係止可能に設けた係止部（２４，２５）とをそれぞれ設けている。
【０００６】
例えば、前記特定両パネル（６ａ，６ｂ）の連結縁部（１３，１８）は、それぞれ、特定両パネル（６ａ，６ｂ）の縦端部（９）で延設された基部（１５，２０）と、この基部（１５，２０）に対し鉤状をなす頭部（１６，２１）とからなる突条部（１４，１９）を有し、この特定両パネル（６ａ，６ｂ）の突条部（１４，１９）において頭部（１６，２１）は、基部（１５，２０）で特定両パネル（６ａ，６ｂ）の表側から裏側へ向けて折曲され、互いに逆の向き（Ｙａ，Ｙｂ）に延設されている。前記係止部（２４，２５）はこれらの突条部（１４，１９）に設けられている。
【０００７】
請求項１の発明では、パネル連結構造部（１０）が係止部（２４，２５）により前記両向き（ＸＦ，ＸＲ）の力に対抗し得るので、風等によるパネル（６）の振れを防止することができる。
【０００８】
請求項１の発明を前提とする請求項２の発明において、前記各係止部（２４，２５）はシール部を兼用している。請求項２の発明では、パネル連結構造部（１０）において防水機能を高めることができる。
【０００９】
請求項３の発明にかかる仕切りのパネル連結構造は下記のように構成されている。
この仕切りのパネル連結構造においては、複数のパネル（６）を縦方向（Ｚ）へ立てて横方向（Ｙ）へ並べ、横方向（Ｙ）で互いに隣接する特定両パネル（６ａ，６ｂ）で相対向する縦端部（９）には、それぞれ、互いに当接する接合部（１１，１７）のほかに、特定両パネル（６ａ，６ｂ）の表側で縦方向（Ｚ）へ延びる連結縁部（１３，１８）を設け、これらの連結縁部（１３，１８）を互いに係合させて特定両パネル（６ａ，６ｂ）を連結している。前記特定両パネル（６ａ，６ｂ）の連結縁部（１３，１８）は、それぞれ、特定両パネル（６ａ，６ｂ）の縦端部（９）で延設された基部（１５，２０）と、この基部（１５，２０）に対し鉤状をなす頭部（１６，２１）とからなる突条部（１４，１９）を有している。この特定両パネル（６ａ，６ｂ）の突条部（１４，１９）において頭部（１６，２１）は、基部（１５，２０）で特定両パネル（６ａ，６ｂ）の表側から裏側へ向けて折曲され、互いに逆の向き（Ｙａ，Ｙｂ）に延設されて横方向（Ｙ）に対し傾斜している。
【００１０】
前記特定両パネル（６ａ，６ｂ）をそれらのパネル連結構造部（１０）で互いに連結する場合には、例えば、他方の特定パネル（６ｂ）の縦端部（９）を一方の特定パネル（６ａ）の縦端部（９）に対し表側から重ね合わせる際、一方の特定パネル（６ａ）側の突条部（１４）の頭部（１６）の外側に他方の特定パネル（６ｂ）側の突条部（１９）の頭部（２１）を押し当てて一方の特定パネル（６ａ）側の頭部（１６）で他方の特定パネル（６ｂ）側の頭部（２１）を案内しながら、特定両パネル（６ａ，６ｂ）の突条部（１４，１９）を互いに係合させる。
【００１１】
請求項３の発明を前提とする請求項４の発明において、前記特定両パネル（６ａ，６ｂ）の連結縁部（１３，１８）の突条部（１４，１９）で頭部（１６，２１）は基部（１５，２０）に対し鋭角（θ）をなし、この特定両パネル（６ａ，６ｂ）の突条部（１４，１９）のうち一方の突条部（１４）の頭部（１６）は他方の突条部（１９）における基部（２０）と頭部（２１）との間の縦溝（２３）に入り込んでいる。
【００１２】
請求項４の発明を前提とする請求項５の発明において、前記特定両パネル（６ａ，６ｂ）の突条部（１４，１９）のうち一方の突条部（１４）における頭部（１６）の先端部（１６ａ）は他方の突条部（１９）における頭部（２１）の内側に近接するとともに、一方の突条部（１４）における頭部（１６）の基端部（１６ｂ）は他方の突条部（１９）における基部（２０）の内側に近接している。
【００１３】
例えば、一方の突条部（１４）における頭部（１６）の先端部（１６ａ）が他方の突条部（１９）における頭部（２１）の内側に対しそれらの近接部（１６ａ，２１ｂ）で互いに近接して、それらの近接部（１６ａ，２１ｂ）が請求項１の発明における係止部（２４）として機能するとともに、一方の突条部（１４）における頭部（１６）の基端部（１６ｂ）が他方の突条部（１９）における基部（２０）の内側に対しそれらの近接部（１６ｂ，２０ａ）で互いに近接して、それらの近接部（１６ｂ，２０ａ）が請求項１の発明における係止部（２５）として機能する。その場合、これらの近接部（１６ａ，２１ｂ，１６ｂ，２０ａ）を直接当接させて請求項２の発明におけるシール部として機能させてもよい。また、これらの近接部（１６ａ，２１ｂ，１６ｂ，２０ａ）の一部としてのシール部材（図示せず）を介在させてもよい。
【００１４】
請求項３〜５の発明では、特定両パネル（６ａ，６ｂ）の連結縁部（１３，１８）を互いに係合させ易くなる。
請求項１から請求項４のうちいずれかの請求項の発明を前提とする請求項６の発明において、前記特定両パネル（６ａ，６ｂ）のうち一方の特定パネル（６ａ）には特定パネル（６ａ）の表側の縦端部（９）側で縦方向（Ｚ）へ延びる樋溝（１２）を設け、前記特定両パネル（６ａ，６ｂ）の連結縁部（１３，１８）はこの樋溝（１２）内で互いに係合している。請求項６の発明では、特定両パネル（６ａ，６ｂ）の連結時にこの樋溝（１２）を利用して連結縁部（１３，１８）の係合が行い易くなるばかりではなく、この樋溝（１２）により排水機能も高めることができる。
【発明の効果】
【００１５】
本発明は、各種仕切りの特定両パネル（６ａ，６ｂ）間のパネル連結構造部（１０）において、パネル（６）を確実に保持するとともに、パネル（６）の連結作業を容易にすることができる。
【発明を実施するための最良の形態】
【００１６】
以下、本発明の一実施形態にかかる仕切りのパネル連結構造について図１〜３を参照して説明する。
図１（ａ）（ｂ）及び図２（ａ）（ｂ）に示すように、この仕切りにおいては、基礎１上に複数の縦桿２が上下方向Ｚ（縦方向）へ立てて左右方向Ｙ（横方向）へ互いに間隔をあけて並べられているとともに、この各縦桿２の裏側（内側、後側）の上部間に横桿３が各連結金具４，５により連結され、この各縦桿２の表側（外側、前側）には外壁７内にプラスチックフォーム８を内蔵した複数のパネル６が上下方向Ｚへ立てて左右方向Ｙへ並べられている。左右方向Ｙで互いに隣接する特定両パネル６で相対向する縦端部９は、下記で詳述するパネル連結構造部１０により互いに連結されている。
【００１７】
上記パネル連結構造部１０においては、図３（ａ）（ｂ）（ｃ）に示すように、互いに隣接する特定両パネル６のうち一方の特定パネル６ａの縦端部９で、裏側から表側へ延びる接合部１１が上下方向Ｚの全体に設けられているとともに、表側には上下方向Ｚの全体で延びる樋溝１２が設けられ、この樋溝１２を囲う外壁７の一部として上下方向Ｚの全体で延びる連結縁部１３が設けられている。この連結縁部１３は、表側と裏側とを結ぶ前後方向Ｘ（奥行き方向）へ延設された基部１５と、この基部１５に対し鉤状をなす頭部１６とからなる突条部１４を有している。この鉤状突条部１４で頭部１６は、樋溝１２内において基部１５の先端部で表側から裏側へ向けて折曲されて左右方向Ｙに対し傾斜し、基部１５に対し鋭角θ（約４５度）をなしている。
【００１８】
また、同じくパネル連結構造部１０においては、他方の特定パネル６ｂの縦端部９で、裏側から延びる接合部１７が上下方向Ｚの全体に設けられているとともに、表側には外壁７の一部として上下方向Ｚの全体で延びる連結縁部１８が設けられいる。この連結縁部１８は、左右方向Ｙへ延設された基部２０と、この基部２０に対し鉤状をなす頭部２１とからなる突条部１９を有している。この鉤状突条部１９で頭部２１は、基部２０の先端部で表側から裏側へ向けて折曲されて左右方向Ｙに対し傾斜し、基部２０に対し鋭角θ（約４５度）をなしている。
【００１９】
前記特定両パネル６ａ，６ｂをそれらのパネル連結構造部１０で互いに連結する場合には、一方の特定パネル６ａを取り付けた後、他方の特定パネル６ｂの縦端部９を一方の特定パネル６ａの縦端部９に対し表側から重ね合わせる。その際、特定パネル６ａ側の突条部１４の頭部１６の外側に特定パネル６ｂ側の突条部１９の頭部２１の先端部２１ａを押し当てて特定パネル６ａ側の頭部１６で特定パネル６ｂ側の頭部２１を案内しながら特定パネル６ａ側の樋溝１２に挿入するか、または、特定パネル６ｂ側の頭部２１を特定パネル６ａ側の樋溝１２に直接挿入する。
【００２０】
その後、特定パネル６ａ側の接合部１１と特定パネル６ｂ側の接合部１７とをガスケット２２（シール部材）を挟んで互いに当接させるとともに、特定パネル６ａ側の突条部１４と特定パネル６ｂ側の突条部１９とを互いに係合させる。これらの突条部１４，１９の係合状態では、特定パネル６ａ側の突条部１４の頭部１６が特定パネル６ｂ側の突条部１９における基部２０と頭部２１との間の縦溝２３に入り込んでそれらの頭部１６，２１が互いに逆の向きＹａ，Ｙｂに延び、特定パネル６ａ側の頭部１６の先端部１６ａ（近接部）が特定パネル６ｂ側の頭部２１の内側の近接部２１ｂに近接するとともに、特定パネル６ａ側の頭部１６の基端部１６ｂ（近接部）が特定パネル６ｂ側の基部２０の内側の近接部２０ａに近接する。特定両パネル６ａ，６ｂの表側から裏側へ向う向きＸＦの力や、特定両パネル６ａ，６ｂの裏側から表側へ向う向きＸＲの力が働くと、特定パネル６ａ側の頭部１６の先端部１６ａ（近接部）と特定パネル６ｂ側の頭部２１の内側の近接部２１ｂとがそれらの力に対抗するように互いに係止される係止部２４として機能するとともに、特定パネル６ａ側の頭部１６の基端部１６ｂ（近接部）と特定パネル６ｂ側の基部２０の内側の近接部２０ａとがそれらの力に対抗するように互いに係止される係止部２５として機能する。その各係止部２４，２５はシール部としても機能する。
【００２１】
なお、前記一方の特定パネル６ａの樋溝１２において、一方の特定パネル６ａの連結縁部１３及び他方の特定パネル６ｂの連結縁部１８に対する反対側にはこれらと同様な連結縁部２６，２７が一方の特定パネル６ａの外壁７に設けられている。
【図面の簡単な説明】
【００２２】
【図１】（ａ）は本実施形態にかかる仕切りを表側から見て概略的に示す部分正面図であり、（ｂ）は同じく裏側から見て概略的に示す部分背面図である。
【図２】（ａ）は上記仕切りを概略的に示す縦断面図であり、（ｂ）は同じく概略的に示す横断面図である。
【図３】（ａ）は上記仕切りにおいてパネルの連結構造を平面側から見た図２（ｂ）の部分拡大断面図であり、（ｂ）は（ａ）の部分拡大断面図であり、（ｃ）は（ｂ）の部分拡大断面図である。
【符号の説明】
【００２３】
６…パネル、６ａ，６ｂ…特定両パネル、９…特定両パネルの縦端部、１０…パネル連結構造部、１１，１７…接合部、１２…樋溝、１３，１８…連結縁部、１４，１９…突条部、１５，２０…基部、１６，２１…頭部、２３…縦溝、２４，２５…係止部、Ｚ…上下方向（縦方向）、Ｙ…左右方向（横方向）、Ｙａ，Ｙｂ…向き、Ｘ…前後方向、ＸＦ，ＸＲ…向き、θ…鋭角。
【図１】
2005351043.tif 000003
【図２】
2005351043.tif 000004
【図３】
2005351043.tif 000005